(57)【要約】【課題】予め巻回してあるコイルをレンズホルダーに固定するのに仮固定用の接着剤を不要とし、容易に確実にコイルを固定でき、作業時間、工程数及びコストを削減する光ピックアップ装置を提供することである。【解決手段】光ピックアップ装置は、対物レンズを保持するためのレンズホルダー３０と、予め巻回され、略多角形の空芯３５ａを有し、レンズホルダー３０を駆動させるコイル３５と、レンズホルダー３０に突設され、少なくとも空芯３５ａの隣り合った第１及び第２角部３５ｃ、３５ｄに当接する第１固定部３３と、第１固定部３３又はレンズホルダー３０からコイル３５の重なった外側面３５ｂに沿って延出した第２固定部３４と、を備え、空芯３５ａが第１及び第２固定部３３、３４に嵌まる大きさである。【選択図】図６
2014044770.tif 000002
【特許請求の範囲】
【請求項１】
対物レンズを保持するためのレンズホルダーと、
予め巻回され、略多角形の空芯を有し、前記レンズホルダーを駆動させるコイルと、
前記レンズホルダーに突設され、少なくとも前記空芯の隣り合った第１及び第２角部に当接する第１固定部と、
前記第１固定部又は前記レンズホルダーから前記コイルの重なった外側面に沿って延出した第２固定部と、を備え、
前記空芯が前記第１及び第２固定部に嵌まる大きさであることを特徴とする光ピックアップ装置。
【請求項２】
前記空芯の前記第１角部から前記第２角部とは反対側に延びる第１辺と、前記空芯の前記第２角部から前記第１角部とは反対側に延びる第２辺とが、前記第１固定部によって押し広げられることを特徴とする請求項１記載の光ピックアップ装置。
【請求項３】
前記第２固定部が前記コイルの重なった外側面に圧接していることを特徴とする請求項１又は２記載の光ピックアップ装置。
【請求項４】
前記第１固定部が直線状の突条部材であることを特徴とする請求項１〜３の何れかに記載の光ピックアップ装置。
【請求項５】
前記空芯が略矩形であることを特徴とする請求項１〜４の何れかに記載の光ピックアップ装置。
【請求項６】
前記第２固定部が、前記第１固定部から延出し、前記空芯の隣接する２辺及び対角線で形成される三角形と合同な平面を有する部材であることを特徴とする請求項５記載の光ピックアップ装置。
【請求項７】
前記第２固定部が、前記第１固定部から延出し、前記空芯の対角線の長さに等しい直線状の突条部材であることを特徴とする請求項５記載の光ピックアップ装置。
【請求項８】
前記コイルがトラッキング用コイルであることを特徴とする請求項１〜７の何れかに記載の光ピックアップ装置。
【発明の詳細な説明】
【技術分野】
【０００１】
本発明は対物レンズを保持するためのレンズホルダーと、レンズホルダーを駆動させるコイルとを備えたアクチュエーターを搭載した光ピックアップ装置に関する。
【背景技術】
【０００２】
近年、ＢＤ（Blu-ray Disc）やＤＶＤ等の光ディスクの再生／記録を行う光ディスク装置において小型化の要請が増しており、光ディスク装置に搭載される光ピックアップ装置も小型化する傾向にある。
【０００３】
ここで、光ピックアップ装置に応じてアクチュエーター部分のレンズホルダーやサーボ用のコイルも小型化が進んでいる。一般的にコイルをレンズホルダーに固定するにはコイルを位置決めした後、仮固定用の接着剤で固定する。そのため、コイルが小さくなると位置決めが難しくなり、接着剤の塗布位置や塗布量の精度を安定させることも難しくなる。よって、コイルをレンズホルダーに固定する工程の作業時間が長くなる。接着剤がコイルの周囲からはみ出した場合、アクチュエーターの可動領域を侵したり、接着剤が組み立て作業者の手に付着したりするおそれがある。
【０００４】
特許文献１には、コイルボビンの表面にコイルが巻かれて形成されるコイル部品を用い、その頭部が成型部位の枠状体に嵌まり、そのリブが爪部に係止されて成型部位に嵌合装着される構成が開示されている。これにより、接着剤を用いなくてもコイル部品が成型部位から外れることがないとしている。
【先行技術文献】
【特許文献】
【０００５】
【特許文献１】実開平６−１１２４９号公報
【発明の概要】
【発明が解決しようとする課題】
【０００６】
しかしながら、特許文献１ではコイルをコイルボビンに巻き付けているため、コイルを直接成型部位に固定するものではない。通常、光ピックアップにおいては予め巻回してあるコイルをレンズホルダーに固定している。そのため、コイルをレンズホルダーに位置決め固定するのに仮固定用の接着剤が必要となる。
【０００７】
本発明は、予め巻回してあるコイルをレンズホルダーに固定するのに仮固定用の接着剤を不要とし、容易に確実にコイルを固定でき、作業時間、工程数及びコストを削減する光ピックアップ装置を提供することを目的とする。
【課題を解決するための手段】
【０００８】
上記目的を達成するために本発明の光ピックアップ装置は、対物レンズを保持するためのレンズホルダーと、予め巻回され、略多角形の空芯を有し、前記レンズホルダーを駆動させるコイルと、前記レンズホルダーに突設され、少なくとも前記空芯の隣り合った第１及び第２角部に当接する第１固定部と、前記第１固定部又は前記レンズホルダーから前記コイルの重なった外側面に沿って延出した第２固定部と、を備え、前記空芯が前記第１及び第２固定部に嵌まる大きさであることを特徴とする。
【０００９】
この構成によると、予め巻回してあるコイルを第１及び第２固定部に嵌めて回転させるという容易な工程により確実にコイルを固定でき、コイルをレンズホルダーに固定するのに仮固定用の接着剤を不要とし、作業時間、工程数及びコストを削減することができる。
【００１０】
上記の光ピックアップ装置において、コイルをより確実に固定する観点から、前記空芯の前記第１角部から前記第２角部とは反対側に延びる第１辺と、前記空芯の前記第２角部から前記第１角部とは反対側に延びる第２辺とが、前記第１固定部によって押し広げられることが好ましい。
【００１１】
また上記の光ピックアップ装置において、コイルをより確実に固定する観点から、前記第２固定部が前記コイルの重なった外側面に圧接していることが好ましい。
【００１２】
また上記の光ピックアップ装置において、例えば、前記第１固定部が直線状の突条部材であれば、簡単に成型することができる。
【００１３】
また上記の光ピックアップ装置において、通常、前記空芯は略矩形である。その場合、例えば前記第２固定部が、前記第１固定部から延出し、前記空芯の隣接する２辺及び対角線で形成される三角形と合同な平面を有する部材であってもよい。また、前記第２固定部が、前記第１固定部から延出し、前記空芯の対角線の長さに等しい直線状の突条部材であってもよい。
【００１４】
また上記の光ピックアップ装置において、前記コイルとしては、例えばトラッキング用コイルに適用できる。
【発明の効果】
【００１５】
本発明によると、レンズホルダーに第１及び第２固定部を設けることにより、予め巻回してあるコイルをレンズホルダーに固定するのに仮固定用の接着剤を不要とし、容易に確実にコイルを固定でき、作業時間、工程数及びコストを削減することができる。
【図面の簡単な説明】
【００１６】
【図１】本発明の一実施形態の光ディスク装置の構成の一部を示すブロック図である。
【図２】本発明の一実施形態の光ディスク装置における光ピックアップ装置の光学系の構成を示す概略図である。
【図３】本発明の一実施形態の光ピックアップ装置が備えるアクチュエーターのレンズホルダーの正面図である。
【図４】本発明の一実施形態の光ピックアップ装置が備えるアクチュエーターのレンズホルダーの右側面図である。
【図５】本発明の一実施形態のレンズホルダーにコイルを組み付ける工程途中の正面図である。
【図６】本発明の一実施形態のコイルが取り付けられたレンズホルダーの正面図である。
【図７】本発明の一実施形態のコイルが取り付けられたレンズホルダーの右側面図である。
【図８】本発明の一実施形態の光ピックアップ装置が備えるアクチュエーターのレンズホルダーの正面図である。
【図９】本発明の一実施形態の光ピックアップ装置が備えるアクチュエーターのレンズホルダーの右側面図である。
【図１０】本発明の一実施形態のレンズホルダーにコイルを組み付ける工程途中の正面図である。
【図１１】本発明の一実施形態のコイルが取り付けられたレンズホルダーの正面図である。
【図１２】本発明の一実施形態のコイルが取り付けられたレンズホルダーの右側面図である。
【発明を実施するための形態】
【００１７】
以下に本発明の実施形態を図面を参照して説明する。なお、各実施形態は可能な範囲で組み合わせて実施することもできる。
【００１８】
図１は、本発明の光ディスク装置の構成の一部を示すブロック図である。光ディスク装置１は、光ディスク１５の情報の再生、及び光ディスク１５への情報の記録を行うことができる。２は、スピンドルモータであり、光ディスク１５は、このスピンドルモータ２の上部に設けられるチャック部（図示せず）に着脱可能に保持される。そして、光ディスク１５の情報の記録再生を行う際に、スピンドルモータ２は光ディスク１５を連続回転する。スピンドルモータ２の回転制御は、スピンドルモータ制御部３によって行われる。
【００１９】
４は、光ピックアップ装置であり、光源から出射される光ビームを光ディスク１５に照射し、光ディスク１５への情報の書き込みと、光ディスク１５に記録されている情報の読み取りを可能とする。図２は、光ディスク装置１における光ピックアップ装置４の光学系の構成を示す概略図である。図２に示すように、光ピックアップ装置４においては、光源１６から出射された光ビームは、コリメートレンズ１７で平行光となり、ビームスプリッタ１８を透過し、立ち上げミラー１９で反射されてその光軸が光ディスク１５の記録面１５ａと略垂直とされ、ビームエキスパンダ２０を通過して対物レンズ２１によって光ディスク１５の情報が記録される記録面１５ａに集光される。
【００２０】
光ディスク１５で反射された反射光は、対物レンズ２１、ビームエキスパンダ２０の順に通過し、立ち上げミラー１９で反射された後、更にビームスプリッタ１８で反射されて集光レンズ２２によって光検出器２３の受光部（図示せず）に集光される。光検出器２３は受光した光ビームが有する光情報を電気信号に変換する。これらの信号情報は再生信号として、また、サーボ信号等として使用される。
【００２１】
また、本実施形態の光ピックアップ装置４はビームエキスパンダ２０を備えており、このビームエキスパンダ２０は、ビームエキスパンダ２０が有する可動レンズの移動によって、ビームエキスパンダ２０に入射する平行光のビーム径及び平行度を調整して射出することが可能となっている。そして、このビームエキスパンダ２０の存在により、光ディスク１５の記録面１５ａを保護する保護層１５ｂの厚みが異なる複数種類の光ディスク１５や２層の記録面を有する光ディスクに対して球面収差の補正を適切に行うことが可能となる。
【００２２】
ビームエキスパンダ２０に備わる可動レンズはステッピングモータの駆動によって移動される。ステッピングモータの駆動の制御は、信号処理部８からの収差情報を取得するビームエキスパンダ制御部６（図１参照）によって行われる。
【００２３】
図１に戻って、光ディスク装置１には信号処理部８が設けられており、この信号処理部８は、少なくともＲＦ信号処理部９とトラックエラー信号処理部１０とフォーカスエラー信号処理部１１とを含んでいる。そして、この信号処理部８において、光検出器２３（図２参照）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２４】
ＴＥ信号及びＦＥ信号は、アクチュエーター制御部７に出力される。アクチュエーター制御部７は、これらの信号に基づいて、対物レンズ２１を移動可能とするアクチュエーターに駆動信号を供給する。駆動信号が供給されたアクチュエーターは、信号に基づいて各部を作動させて、対物レンズ２１を光軸と平行な方向に移動して、光ディスク１５の記録面１５ａにフォーカスを追従させるフォーカス制御や対物レンズ２１を光ディスク１５の半径方向と平行な方向に移動して光ビームのスポット位置を光ディスク１５に形成されるトラック位置に追従させるトラッキング制御を行う。
【００２５】
その他、レーザ制御部５は、光ピックアップ装置４に備えられる半導体レーザから成る光源１６（図２参照）のレーザ出力を制御する。また、全体制御部１３は、スピンドルモータ制御部３、レーザ制御部５、ビームエキスパンダ制御部６、アクチュエーター制御部７、信号処理部８、及びデータ復調部１２等を制御して、装置全体のコントロールを行う。
【００２６】
次に、アクチュエーターについて説明する。以下では、摺動軸に対して摺動させることによって可動部をフォーカス方向やトラッキング方向に移動させる、いわゆる軸摺動型のアクチュエーターに適用した例について説明する。
【００２７】
アクチュエーターは、対物レンズを保持するレンズホルダーを有する可動部を備え、レンズホルダーを摺動軸で揺動可能に支持する構成のものである。そして、コイル及び磁石を利用して発生させた力でレンズホルダー（すなわち対物レンズ）を動かすものである。
【００２８】
図３は、本実施形態の光ピックアップ装置１が備えるアクチュエーターのレンズホルダーの正面図、図４は、その右側面図である。
【００２９】
レンズホルダー３０の下面には、対物レンズを保持する保持部３１が設けられている。また、レンズホルダー３０の正面側及び背面側には、トラッキング用コイルを固定する固定部３２、３２が設けられている。これらは、例えば、樹脂で一体成形された部材である。
【００３０】
固定部３２は、第１固定部３３及び第２固定部３４で構成されている。第１固定部３３は、レンズホルダー３０の正面側及び背面側にそれぞれ突設された部材であり、例えば図３では直線状の突条部材である。また第１固定部３３は、少なくとも後述するコイルの空芯の隣り合った２つの角部に当接すればよく、図３では第１固定部３３の長手方向の両端部がその空芯の２つの角部にそれぞれ当接する。また第１固定部３３の突出の厚みはコイルの厚みに等しいか、コイルの厚みより若干薄いことが好ましい。
【００３１】
第２固定部３４は、第１固定部３３から後述するコイルの重なった外側面に沿って延出した部材であり、例えば図３では、コイルの空芯の隣接する２辺及び対角線で形成される三角形と合同な平面を有する板状の部材であり、第１固定部３３を覆っている。なお、第２固定部３４はレンズホルダー３０から延出していてもよい。この場合、例えば、レンズホルダー３０から垂直に突出して直角に折れ曲がるような形状となる。
【００３２】
図５は、レンズホルダー３０にコイルを組み付ける工程途中の正面図、図６は、コイルが取り付けられたレンズホルダー３０の正面図、図７は、その右側面図である。コイル３５は、組み付け前に予め巻回されており、略多角形（例えば略矩形）の空芯を有する。例えば図５では、空芯３５ａが略正方形である。また空芯３５ａは第１及び第２固定部３３、３４に嵌まる大きさである。図５では空芯３５ａが略三角形の第２固定部３４にちょうど嵌まっている。
【００３３】
レンズホルダー３０にコイル３５を組み付ける工程では、まず図５に示すように、コイル３５の空芯３５ａを第２固定部３４に嵌め、コイル３５の裏面がレンズホルダー３０に接するまで押し込む。そうすると、コイル３５の重なった外側面３５ｂと第２固定部３４の裏面とがほぼ面一になる。
【００３４】
この状態から、コイル３５を図５の紙面上で時計回りに約４５°回転させ、図６の状態とすることで、コイル３５は固定部３２に固定される。このように、コイル３５がレンズホルダー３０に組み付けられた状態では、第１固定部３３は、少なくとも空芯３５ａの隣り合った第１角部３５ｃ及び第２角部３５ｄに当接する（図６参照）。図６では、さらに第１角部３５ｃと第２角部３５ｄとを両端部とする空芯３５の辺３５ｅも第１固定部３３に接している。
【００３５】
また第１固定部３３の長手方向の長さが空芯３５ａの一辺の長さより若干長いことにより、コイル３５がレンズホルダー３０に組み付けられた状態では、次のような状態となる。つまり、空芯３５の第１角部３５ｃから第２角部３５ｄとは反対側に延びる第１辺３５ｆと、空芯３５の第２角部３５ｄから第１角部３５ｃとは反対側に延びる第２辺３５ｇとが、第１固定部３３によって押し広げられる。これにより、コイル３５が固定される。
【００３６】
また第１固定部３３の突出の厚みがコイル３５の厚みより若干薄いことにより、コイル３５がレンズホルダー３０に組み付けられた状態では、第２固定部３４がコイル３５の重なった外側面３５ｂに圧接する。これによってもコイル３５が固定される。
【００３７】
このように、予め巻回してあるコイル３５を固定部３２に嵌めて回転させるという容易な工程により確実にコイルを固定でき、コイルをレンズホルダーに固定するのに仮固定用の接着剤を不要とし、作業時間、工程数及びコストを削減することができる。
【００３８】
次に、固定部の他の形態について説明する。図８は、他の形態のレンズホルダーの正面図、図９は、その右側面図である。この形態が上記の形態と異なる点は、第２固定部４４の形状である。以下ではこの異なる部分について説明し、上記の形態と同様の構成部分には同符号を付しその詳細な説明を省略する。
【００３９】
固定部４２は、第１固定部３３及び第２固定部４４で構成されている。第２固定部４４は、第１固定部３３からコイルの重なった外側面に沿って延出した部材であり、例えば図８では、第１固定部３３から延出し、コイル３５の空芯３５ａの対角線の長さに等しい直線状の突条部材であり、第１固定部３３を覆っている。なお、第２固定部４４はレンズホルダー４０から延出していてもよい。この場合、例えば、レンズホルダー４０から垂直に突出して直角に折れ曲がるような形状となる。
【００４０】
図１０は、レンズホルダー４０にコイルを組み付ける工程途中の正面図、図１１は、コイルが取り付けられたレンズホルダー４０の正面図、図１２は、その右側面図である。コイル３５の空芯３５ａは第１及び第２固定部３３、４４に嵌まる大きさである。図では空芯３５ａの対角線部分に第２固定部３４がちょうど嵌まっている。
【００４１】
レンズホルダー４０にコイル３５を組み付ける工程は上記と同様なので省略する。コイル３５がレンズホルダー４０に組み付けられた状態では、第１固定部３３は、少なくとも空芯３５ａの隣り合った第１角部３５ｃ及び第２角部３５ｄに当接する（図１１参照）。図１１では、さらに第１角部３５ｃと第２角部３５ｄとを両端部とする空芯３５の辺３５ｅも第１固定部３３に接している。
【００４２】
また第１固定部３３の長手方向の長さが空芯３５ａの一辺の長さより若干長いことにより、コイル３５がレンズホルダー３０に組み付けられた状態では、次のような状態となる。つまり、空芯３５の第１角部３５ｃから第２角部３５ｄとは反対側に延びる第１辺３５ｆと、空芯３５の第２角部３５ｄから第１角部３５ｃとは反対側に延びる第２辺３５ｇとが、第１固定部３３によって押し広げられる。これにより、コイル３５が固定される。
【００４３】
また第１固定部３３の突出の厚みがコイル３５の厚みより若干薄いことにより、コイル３５がレンズホルダー３０に組み付けられた状態では、第２固定部４４がコイル３５の重なった外側面３５ｂに圧接する。これによってもコイル３５が固定される。
【００４４】
このように、第２固定部４４の形状を変えた場合であっても、予め巻回してあるコイル３５を固定部３２に嵌めて回転させるという容易な工程により確実にコイルを固定でき、コイルをレンズホルダーに固定するのに仮固定用の接着剤を不要とし、作業時間、工程数及びコストを削減することができる。
【００４５】
なお、第２固定部３４、４４はコイルの重なった外側面を覆うことによって、その部分のコイルの磁界を若干なりとも妨げる。したがって、第２固定部はコイルの磁界を利用する部分（例えば、空芯３５の辺３５ｅに対向する辺を含むコイル部分）には設けないことが望ましい。
【００４６】
上記の実施形態では、軸摺動型のアクチュエーターを例に説明したが、サスペンションワイヤーを用いて可動部をフォーカス方向やトラッキング方向に移動させる、いわゆるワイヤー型のアクチュエーターにも同様に適用できる。また上記の実施形態では、コイルは、トラッキング用コイルを例に説明したが、チルト用コイル、フォーカス用コイルなど、レンズホルダーを駆動させるコイルであれば同様に適用できる。
【００４７】
上記の実施形態の光ピックアップ装置は、ＢＤ、ＤＶＤ、ＣＤといった光ディスクに対して情報の読み取りや書き込みを行える構成となっている。なお、光ピックアップ装置が対応可能な光ディスクの種類や、使用する光学構成が本実施形態の構成から変更されても、本発明が広く適用できることは言うまでもない。
【符号の説明】
【００４８】
４  光ピックアップ装置
３５  コイル
３０、４０  レンズホルダー
３５ｃ  第１角部
３５ｄ  第２角部
３３  第１固定部
３４、４４  第２固定部
３５ａ  空芯
３５ｆ  第１辺
３５ｇ  第２辺
【図１】
2014044770.tif 000003
【図２】
2014044770.tif 000004
【図３】
2014044770.tif 000005
【図４】
2014044770.tif 000006
【図５】
2014044770.tif 000007
【図６】
2014044770.tif 000008
【図７】
2014044770.tif 000009
【図８】
2014044770.tif 000010
【図９】
2014044770.tif 000011
【図１０】
2014044770.tif 000012
【図１１】
2014044770.tif 000013
【図１２】
2014044770.tif 000014